(57)【要約】【課題】複数の無線伝送装置からなる無線通信システムにおいて、送信元の無線伝送装置を切替える際の切替時間を短縮すること。【解決手段】ソース機器１０１からシンク機器１００に映像データを無線伝送する無線通信システムにおいて、シンク機器１００は映像表示手段であるディスプレイ３６を具備し、ディスプレイ３６で表示可能な映像フォーマットの全てを伝送可能なデータ伝送速度以上のデータ伝送速度を達成可能な帯域幅の割当を帯域管理装置１０３に対して要求し、割り当てられた帯域幅を映像データの送信元であるソース機器１０１に対して割り当てる。【選択図】図１
2008271008.tif 000002
【特許請求の範囲】
【請求項１】
第１の無線伝送装置から第２の無線伝送装置に映像データを無線伝送する無線通信システムにおいて、
上記第２の無線伝送装置は映像表示手段を具備し、上記映像表示手段で表示可能な映像フォーマットの全てを伝送可能なデータ伝送速度以上のデータ伝送速度を達成可能な帯域幅の割当を帯域管理装置に対して要求し、割り当てられた帯域幅を映像データの送信元である第１の無線伝送装置に対して割り当てることを特徴とする無線通信システム。
【請求項２】
上記第２の無線伝送装置は、映像データの送信元を上記第１の無線伝送装置から第３の無線伝送装置に切替えるとき、上記第１の無線伝送装置に送信停止要求を送信した後、上記第３の無線伝送装置に送信開始要求を送信することを特徴とする請求項１記載の無線通信システム。
【請求項３】
上記第２の無線伝送装置は、映像データの送信元を上記第１の無線伝送装置から第３の無線伝送装置に切替えるとき、上記帯域管理装置から割り当てられた帯域を保持したまま、上記第１の無線伝送装置に送信停止要求を送信した後、上記第３の無線伝送装置に送信開始要求を送信することを特徴とする請求項１又は２記載の無線通信システム。
【請求項４】
上記第２の無線伝送装置は、自身が具備する内蔵再生手段から他の無線伝送装置に入力が切替えられたときに帯域管理装置に対して帯域の割当を要求することを特徴とする請求項１乃至３のうちのいずれか１つに記載の無線通信システム。
【請求項５】
上記第２の無線伝送装置は、他の無線伝送装置から自身が具備する内蔵再生手段に入力が切替えられたときに帯域管理装置に対して自身に割り当てられていた帯域を返還することを特徴とする請求項１乃至４のうちのいずれか１つに記載の無線通信システム。
【請求項６】
上記第２の無線伝送装置は、自身に接続された有線伝送装置から他の無線伝送装置に入力が切替えられたときに帯域管理装置に対して帯域の割当を要求することを特徴とする請求項１乃至５のうちのいずれか１つに記載の無線通信システム。
【請求項７】
上記第２の無線伝送装置は、他の無線伝送装置から自身に接続された有線伝送装置に入力が切替えられたときに帯域管理装置に対して自身に割り当てられていた帯域を返還することを特徴とする請求項１乃至６のうちのいずれか１つに記載の無線通信システム。
【請求項８】
上記第２の無線伝送装置が、上記第１の無線伝送装置から映像データを受信している際に上記第３の無線伝送装置からデータ送信開始指示を受信したとき、上記第１の無線伝送装置にデータ送信停止要求を送信することを特徴とする請求項１乃至７のうちのいずれか１つに記載の無線通信システム。
【請求項９】
上記第２の無線伝送装置は、電源がオンになったときに帯域管理装置に対して帯域の割当を要求することを特徴とする請求項１乃至８のうちのいずれか１つに記載の無線通信システム。
【請求項１０】
上記第２の無線伝送装置は、電源がスタンバイ状態になったときに帯域管理装置に対して自身に割り当てられていた帯域を返還することを特徴とする請求項１乃至９のうちのいずれか１つに記載の無線通信システム。
【請求項１１】
第１の無線伝送装置から第２の無線伝送装置に映像データを無線伝送する無線通信システムのための無線伝送装置において、
映像表示手段を具備し、上記映像表示手段で表示可能な映像フォーマットの全てを伝送可能なデータ伝送速度以上のデータ伝送速度を達成可能な帯域幅の割当を帯域管理装置に対して要求し、割り当てられた帯域幅を映像データの送信元である無線伝送装置に対して割り当てることを特徴とする無線伝送装置。
【請求項１２】
映像データの送信元を上記第１の無線伝送装置から第３の無線伝送装置に切替えるとき、上記第１の無線伝送装置に送信停止要求を送信した後、上記第３の無線伝送装置に送信開始要求を送信することを特徴とする請求項１１記載の無線伝送装置。
【請求項１３】
映像データの送信元を上記第１の無線伝送装置から第３の無線伝送装置に切替えるとき、上記帯域管理装置から割り当てられた帯域を保持したまま、上記第１の無線伝送装置に送信停止要求を送信した後、上記第３の無線伝送装置に送信開始要求を送信することを特徴とする請求項１１又は１２記載の無線伝送装置。
【請求項１４】
自身が具備する内蔵再生手段から他の無線伝送装置に入力が切替えられたときに帯域管理装置に対して帯域の割当を要求することを特徴とする請求項１１乃至１３のうちのいずれか１つに記載の無線伝送装置。
【請求項１５】
他の無線伝送装置から自身が具備する内蔵再生手段に入力が切替えられたときに帯域管理装置に対して帯域を返還することを特徴とする請求項１１乃至１４記載のうちのいずれか１つに記載の無線伝送装置。
【請求項１６】
自身に接続された有線伝送装置から他の無線伝送装置に入力が切替えられたときに帯域管理装置に対して帯域の割当を要求することを特徴とする請求項１１乃至１５のうちのいずれか１つに記載の無線伝送装置。
【請求項１７】
他の無線伝送装置から自身に接続された有線伝送装置に入力が切替えられたときに帯域管理装置に対して帯域を返還することを特徴とする請求項１１乃至１６のうちのいずれか１つに記載の無線伝送装置。
【請求項１８】
上記第１の無線伝送装置から映像データを受信している際に上記第３の無線伝送装置からデータ送信開始指示を受信したとき、上記第１の無線伝送装置にデータ送信停止要求を送信することを特徴とする請求項１１乃至１７のうちのいずれか１つに記載の無線伝送装置。
【請求項１９】
上記第２の無線伝送装置は、電源がオンになったときに帯域管理装置に対して帯域の割当を要求することを特徴とする請求項１１乃至１８のうちのいずれか１つに記載の無線伝送装置。
【請求項２０】
上記第２の無線伝送装置は、電源がスタンバイ状態になったときに帯域管理装置に対して自身に割り当てられていた帯域を返還することを特徴とする請求項１１乃至１９のうちのいずれか１つに記載の無線伝送装置。
【請求項２１】
第１の無線伝送装置から第２の無線伝送装置に映像データを無線伝送する無線通信システムのための帯域管理方法において、
上記第２の無線伝送装置は映像表示手段を具備し、
上記第２の無線伝送装置により、上記映像表示手段で表示可能な映像フォーマットの全てを伝送可能なデータ伝送速度以上のデータ伝送速度を達成可能な帯域幅の割当を帯域管理装置に対して要求し、割り当てられた帯域幅を映像データの送信元である第１の無線伝送装置に対して割り当てるステップを含むことを特徴とする帯域管理方法。
【発明の詳細な説明】
【技術分野】
【０００１】
本発明は、例えばそれぞれ音声及び映像機器（以下、ＡＶ機器という。）であるソース機器及びシンク機器などの複数の無線伝送装置間で映像及び音声データを送信する無線通信システム、無線伝送装置及びその帯域管理方法に関し、特に、データ送信元の無線伝送装置を切替える入力切替時の切替時間を短縮することができる無線通信システム、無線伝送装置及びその帯域管理方法に関する。
【背景技術】
【０００２】
従来の無線伝送装置間で映像及び音声データを伝送する無線通信システムとしては、ＩＥＥＥ８０２．１５．３の標準規格を用いる無線通信システムが実用化されている（例えば、非特許文献１参照。）。
【０００３】
ＩＥＥＥ８０２．１５．３の標準規格では、映像及び音声データのようなアイソクロナスデータを伝送する場合、データ送信側無線伝送装置が一定時間（以下、チャネルタイムブロックという。）を自身が占有してデータを伝送できるように予約することにより、複数の無線伝送装置が同時にデータ伝送を開始することを防ぐことができ、データ伝送時の衝突を無くすとともに、一定区間で一定量のデータを伝送できることを保証でき、効率のよいデータ伝送を可能としている。データ送信側無線伝送装置がチャネルタイムブロックを予約する際には、チャネルタイムアロケーションリクエストメッセージを、無線通信システム全体の時間帯域の管理を行う帯域管理装置に送信する。このチャネルタイムアロケーションリクエストメッセージには映像データの宛先となる無線伝送装置の識別子が含まれており、その無線伝送装置に対する映像データの伝送のためにチャネルタイムブロックを予約することを示している。
【０００４】
また、特許文献１に開示される無線通信システムにおいては、データを伝送する無線通信装置が制御局に対して帯域予約要求を送信し、複数のフレームにわたる帯域予約を行う方法が開示されている。
【０００５】
以上のように、従来技術においては、データを送信する側の無線伝送装置が自身が送信するデータを送信するために必要な帯域を予約するという方法が用いられる。
【０００６】
【非特許文献１】ＩＥＥＥ  ８０２．１５．３  標準規格，２００３年発行。
【特許文献１】特開２００３−０６０５６４号公報。
【発明の開示】
【発明が解決しようとする課題】
【０００７】
しかしながら、受信側無線伝送装置において、ある送信側無線伝送装置から映像データを受信しているときに、異なる送信側無線伝送装置から映像データを受信するように切替える場合は、受信側無線伝送装置が切替元の送信側無線伝送装置に帯域を解放することを要求し、それに従い、送信側無線伝送装置が帯域解放処理を行った後、受信側無線伝送装置が切替先の送信側無線伝送装置に帯域を予約することを要求し、それに従い、送信側無線伝送装置が帯域予約処理を行うため、入力切替に時間を要するという課題を有していた。
【０００８】
本発明の目的は以上の問題点を解決し、映像及び音声データを無線伝送する際の入力切替に要する時間を短縮できる無線通信システム、無線伝送装置及びその帯域管理方法を提供することにある。
【課題を解決するための手段】
【０００９】
第１の発明に係る無線通信システムは、第１の無線伝送装置から第２の無線伝送装置に映像データを無線伝送する無線通信システムにおいて、
上記第２の無線伝送装置は映像表示手段を具備し、上記映像表示手段で表示可能な映像フォーマットの全てを伝送可能なデータ伝送速度以上のデータ伝送速度を達成可能な帯域幅の割当を帯域管理装置に対して要求し、割り当てられた帯域幅を映像データの送信元である第１の無線伝送装置に対して割り当てることを特徴とする。
【００１０】
上記無線通信システムにおいて、上記第２の無線伝送装置は、映像データの送信元を上記第１の無線伝送装置から第３の無線伝送装置に切替えるとき、上記第１の無線伝送装置に送信停止要求を送信した後、上記第３の無線伝送装置に送信開始要求を送信することを特徴とする。
【００１１】
また、上記無線通信システムにおいて、上記第２の無線伝送装置は、映像データの送信元を上記第１の無線伝送装置から第３の無線伝送装置に切替えるとき、上記帯域管理装置から割り当てられた帯域を保持したまま、上記第１の無線伝送装置に送信停止要求を送信した後、上記第３の無線伝送装置に送信開始要求を送信することを特徴とする。
【００１２】
さらに、上記無線通信システムにおいて、上記第２の無線伝送装置は、自身が具備する内蔵再生手段から他の無線伝送装置に入力が切替えられたときに帯域管理装置に対して帯域の割当を要求することを特徴とする。
【００１３】
またさらに、上記無線通信システムにおいて、上記第２の無線伝送装置は、他の無線伝送装置から自身が具備する内蔵再生手段に入力が切替えられたときに帯域管理装置に対して自身に割り当てられていた帯域を返還することを特徴とする。
【００１４】
また、上記無線通信システムにおいて、上記第２の無線伝送装置は、自身に接続された有線伝送装置から他の無線伝送装置に入力が切替えられたときに帯域管理装置に対して帯域の割当を要求することを特徴とする。
【００１５】
さらに、上記無線通信システムにおいて、上記第２の無線伝送装置は、他の無線伝送装置から自身に接続された有線伝送装置に入力が切替えられたときに帯域管理装置に対して自身に割り当てられていた帯域を返還することを特徴とする。
【００１６】
またさらに、上記無線通信システムにおいて、上記第２の無線伝送装置が、上記第１の無線伝送装置から映像データを受信している際に上記第３の無線伝送装置からデータ送信開始指示を受信したとき、上記第１の無線伝送装置にデータ送信停止要求を送信することを特徴とする。
【００１７】
また、上記無線通信システムにおいて、上記第２の無線伝送装置は、電源がオンになったときに帯域管理装置に対して帯域の割当を要求することを特徴とする。
【００１８】
さらに、上記無線通信システムにおいて、上記第２の無線伝送装置は、電源がスタンバイ状態になったときに帯域管理装置に対して自身に割り当てられていた帯域を返還することを特徴とする。
【００１９】
第２の発明に係る無線伝送装置は、第１の無線伝送装置から第２の無線伝送装置に映像データを無線伝送する無線通信システムのための無線伝送装置において、
映像表示手段を具備し、上記映像表示手段で表示可能な映像フォーマットの全てを伝送可能なデータ伝送速度以上のデータ伝送速度を達成可能な帯域幅の割当を帯域管理装置に対して要求し、割り当てられた帯域幅を映像データの送信元である無線伝送装置に対して割り当てることを特徴とする。
【００２０】
上記無線伝送装置において、映像データの送信元を上記第１の無線伝送装置から第３の無線伝送装置に切替えるとき、上記第１の無線伝送装置に送信停止要求を送信した後、上記第３の無線伝送装置に送信開始要求を送信することを特徴とする。
【００２１】
また、上記無線伝送装置において、映像データの送信元を上記第１の無線伝送装置から第３の無線伝送装置に切替えるとき、上記帯域管理装置から割り当てられた帯域を保持したまま、上記第１の無線伝送装置に送信停止要求を送信した後、上記第３の無線伝送装置に送信開始要求を送信することを特徴とする。
【００２２】
さらに、上記無線伝送装置において、自身が具備する内蔵再生手段から他の無線伝送装置に入力が切替えられたときに帯域管理装置に対して帯域の割当を要求することを特徴とする。
【００２３】
またさらに、上記無線伝送装置において、他の無線伝送装置から自身が具備する内蔵再生手段に入力が切替えられたときに帯域管理装置に対して帯域を返還することを特徴とする。
【００２４】
また、上記無線伝送装置において、自身に接続された有線伝送装置から他の無線伝送装置に入力が切替えられたときに帯域管理装置に対して帯域の割当を要求することを特徴とする。
【００２５】
さらに、上記無線伝送装置において、他の無線伝送装置から自身に接続された有線伝送装置に入力が切替えられたときに帯域管理装置に対して帯域を返還することを特徴とする。
【００２６】
またさらに、上記無線伝送装置において、上記第１の無線伝送装置から映像データを受信している際に上記第３の無線伝送装置からデータ送信開始指示を受信したとき、上記第１の無線伝送装置にデータ送信停止要求を送信することを特徴とする。
【００２７】
また、上記無線伝送装置において、上記第２の無線伝送装置は、電源がオンになったときに帯域管理装置に対して帯域の割当を要求することを特徴とする。
【００２８】
さらに、上記無線伝送装置において、上記第２の無線伝送装置は、電源がスタンバイ状態になったときに帯域管理装置に対して自身に割り当てられていた帯域を返還することを特徴とする。
【００２９】
第３の発明に係る帯域管理方法は、第１の無線伝送装置から第２の無線伝送装置に映像データを無線伝送する無線通信システムのための帯域管理方法において、
上記第２の無線伝送装置は映像表示手段を具備し、
上記第２の無線伝送装置により、上記映像表示手段で表示可能な映像フォーマットの全てを伝送可能なデータ伝送速度以上のデータ伝送速度を達成可能な帯域幅の割当を帯域管理装置に対して要求し、割り当てられた帯域幅を映像データの送信元である第１の無線伝送装置に対して割り当てるステップを含むことを特徴とする。
【発明の効果】
【００３０】
本発明に係る無線通信システム、無線伝送装置及びその帯域管理方法によれば、無線伝送装置間における映像及び音声データの伝送を行う際の入力切替を行うための時間を短縮することが可能となり、ユーザの利便性の向上を図ることができる。
【発明を実施するための最良の形態】
【００３１】
以下、本発明に係る実施形態について図面を参照して説明する。なお、以下の各実施形態において、同様の構成要素については同一の符号を付している。
【００３２】
第１の実施形態．
図１は本発明の第１の実施形態に係る、ソース機器１０１，１０２とシンク機器１００と帯域管理装置１０３とを備えた無線通信システムの構成を示すブロック図である。図１において、シンク機器１００、ソース機器１０１，１０２及び帯域管理装置１０３はそれぞれ無線インタフェースを具備する無線伝送装置であり、シンク機器１００及びソース機器１０１，１０２はＡＶ機器である。ソース機器１０１はシンク機器１００に映像及び音声データを含む無線デジタル信号を送信し、ソース機器１０２はシンク機器１００に映像及び音声データを無線デジタル信号を送信する。帯域管理装置１０３はシンク機器１００及びソース機器１０１，１０２を含む無線通信システム全体の時間帯域管理を行う帯域管理装置である。ソース機器１０１及びソース機器１０２からシンク機器１００への映像及び音声データの伝送は、無線通信システム全体で利用できる時間をどちらか一方が占有して伝送される、もしくは、両方の無線伝送装置に対して時間を配分して両方が同時に伝送される。以下、映像及び音声データを送信する装置をソース装置、映像及び音声データを受信する装置をシンク装置という。
【００３３】
図１において、ソース機器１０１は、例えばＤＶＤプレーヤなどの映像音声再生装置１２と、パケット処理回路１３と、アンテナ１５を有する無線送受信回路１４と、これらの装置及び回路の動作を制御しかつユーザの指示を入力するためのキーボード１１ａを有するコントローラ１１とを備えて構成される。無線送受信回路１４は、無線デジタル信号の送受信、変復調、アクセス制御などの無線伝送処理を行う回路であり、コントローラ１１は、上位レイヤにおけるアプリケーション処理及び装置全体の制御処理を行う回路である。映像音声再生装置１２は例えばＤＶＤなどの記録媒体から映像及び音声データを再生してパケット処理回路１３に出力する。パケット処理回路１３は入力される映像及び音声データを所定のパケット形式でパケット化した後、無線送受信回路１４に出力する。無線送受信回路１４は、高周波回路、変復調回路、ベースバンド処理回路などを含むが、任意の無線伝送方式を用いてもよく、本実施形態では説明を省略する。例えば、ミリ波帯の電波を用いた無線伝送方式を利用することが考えられる。ここで、伝送されるデータは非圧縮映像などの高速伝送が必要なデータ及び音声や制御コマンドなどの比較的低速な伝送速度で伝送可能なデータを含む。また、無線送受信回路１４は、無線通信システム全体で利用できる時間の中から所定の時間を予約し、予約した時間内に映像及び音声データを送受信する媒体アクセス制御を行う。
【００３４】
また、ソース機器１０２は、映像音声再生装置２２と、パケット処理回路２３と、アンテナ２５を有する無線送受信回路２４と、これらの装置及び回路の動作を制御しかつユーザの指示を入力するためのキーボード２１ａを有するコントローラ２１とを備えて、ソース機器１０１と同様に構成され、詳細説明は省略する。
【００３５】
さらに、シンク機器１００は、アンテナ３２を有する無線送受信回路３３と、パケット処理回路３４と、映像音声処理回路３５と、スピーカ付きディスプレイ３６と、切替スイッチ３７と、例えばＤＶＤプレーヤなどの映像音声再生装置３８と、映像音声処理回路３９と、これらの回路及び装置の動作を制御しかつユーザの指示を入力するためのキーボード３１ａを有するコントローラ３１とを備えて構成される。無線送受信回路３３は無線デジタル信号の送受信、変復調、アクセス制御などの無線伝送処理を行う回路であり、コントローラ３１は上位レイヤにおけるアプリケーション処理及び当該装置全体の動作を制御する回路である。パケット処理回路３４は無線送受信回路３３から出力されるデジタルデータ信号を復号化して映像及び音声データを抽出して映像音声処理回路３５に出力する。映像音声処理回路３５は入力される映像及び音声データを所定の復号処理及びＤ／Ａ変換を行って、映像信号及び音声信号を得て、切替スイッチ３７の接点ａ側を介してスピーカ付きディスプレイ３６に出力して表示等を行う。映像音声再生装置３８は例えば内蔵するＤＶＤプレーヤなどであり、記録媒体から再生した映像データ及び音声データを映像音声処理回路３９に出力する。映像音声処理回路３９は入力される映像及び音声データを所定の復号処理及びＤ／Ａ変換を行って、映像信号及び音声信号を得て、切替スイッチ３７の接点ｂ側を介してスピーカ付きディスプレイ３６に出力して表示等を行う。ここで、切替スイッチ３７はコントローラ３１により制御され、無線送受信回路３３からパケット処理回路３４及び映像音声処理回路３５を介して出力される映像及び音声データと、内蔵する映像音声再生装置３８から映像音声処理回路３９を介して出力される映像及び音声データとのうちの一方を選択してスピーカ付きディスプレイ３６に出力する。ここで、無線送受信回路３３は、高周波回路、変復調回路、ベースバンド処理回路などを含むが、任意の無線伝送方式を用いてもよく、本実施形態では説明を省略する。例えば、ミリ波帯の電波を用いた無線伝送方式を利用することが考えられる。ここで、伝送されるデータは非圧縮映像などの高速伝送が必要なデータ及び音声や制御コマンドなどの比較的低速な伝送速度で伝送可能なデータを含む。また、無線送受信回路３３は、無線通信システム全体で利用できる時間の中から所定の時間を予約し、予約した時間内に映像及び音声データを送受信する媒体アクセス制御を行う。また、映像音声再生装置３８は例えばチューナーやハードディスク装置、内蔵メモリ、挿入型メモリ、記録型ディスクなどである。
【００３６】
またさらに、帯域管理装置１０３は、アンテナ４２を有する無線送受信回路４３と、帯域管理部４４を含むコントローラ４１とを備えて構成される。無線送受信回路４３は、無線デジタル信号の送受信、変復調、アクセス制御などの無線伝送処理を行う回路であり、コントローラ４１内の帯域管理部４４は無線通信システム全体の時間帯域の管理を行う回路である。
【００３７】
次いで、図２乃至図１１を参照して、第１の実施形態に係る通信及び制御処理について以下に説明する。
【００３８】
図２は図１の無線通信システムにおける各機器及び装置１００−１０３間の処理及び通信手順の第１の処理を示すシーケンス図である。この第１の処理は、シンク機器１００において、内蔵する映像音声再生装置３８を用いて再生している映像及び音声を視聴中に、コントローラ３１がソース機器１０１から無線送信されてきた映像及び音声データに切り替えを行う処理である。
【００３９】
シンク機器１００においては、ステップＳ５０１において切替スイッチ３７が接点ｂ側に切り替えられて内蔵する映像音声再生装置３８によって映像視聴中に、ステップＳ５０２においてキーボード３１ａによるユーザの指示に基づいて、スイッチ３７が接点ａ側に切り替えられ、ソース機器１０１との通信処理が開始される。その後、ステップＳ５０３において、シンク機器１００は帯域管理装置１０３に帯域予約要求メッセージを送信する。
【００４０】
図５は図１の無線通信システムにおいて伝送される帯域予約要求メッセージのフォーマットの一例を示す図である。図５において、帯域予約要求メッセージは、タイプフィールド８０１と、送信元アドレスフィールド８０２と、宛先アドレスフィールド８０３と、要求ＩＤフィールド８０４と、ストリームＩＤフィールド８０５と、予約情報フィールド８０６とを含み構成される。ここで、タイプフィールド８０１はメッセージが帯域予約要求メッセージであることを示す値がセットされるフィールドであり、送信元アドレスフィールド８０２は予約する時間においてデータの送信元となる無線伝送装置のアドレスがセットされるフィールドであり、宛先アドレスフィールド８０３は予約する時間においてデータの宛先となる無線伝送装置のアドレスがセットされるフィールドであり、要求ＩＤフィールド８０４は複数の帯域予約要求メッセージを識別するための値がセットされるフィールドであり、ストリームＩＤフィールド８０５はストリームを識別するためにメッセージ毎に異なる値がセットされるフィールドであり、予約情報フィールド８０６は予約する時間に関する予約情報がセットされるフィールドである。例えば、予約情報には、予約する時間の幅、繰り返し回数、繰り返しの間隔などの情報が含まれる。
【００４１】
ここでは、送信元アドレスフィールド８０２には、全ての無線伝送装置を示すアドレスをセットする。例えば、アドレスが６ビット幅であるとすると「０ｘ３Ｆ」を用いる。宛先アドレスフィールド８０３には、自身のアドレスをセットする。予約情報フィールド８０６には、自身が受信可能な映像フォーマットを伝送するために必要とする最大データ量を伝送できる値がセットされる。例えば、受信可能な映像フォーマットはＥＤＩＤ（Extended display identification data）に格納されており、ＥＤＩＤを参照することにより、最大フォーマットを決定する。例えば、受信可能な映像フォーマットが１９２０×１０８０の画素数で各画素８ビットの色深度で１秒間に６０フレームを表示する場合、アクティブ区間のみを伝送する無線通信システムにおいては約３Ｇｂｐｓのデータ伝送速度を達成するための値が予約情報フィールド８０６にセットされる。このメッセージを受信した帯域管理装置１０３は、他の無線伝送装置によって占有されていない時間の中から、予約情報フィールド８０６にセットされた値に従い、シンク機器１００に対して時間を割り当てる。割り当てられた時間は、シンク機器１００宛の映像及び音声データのみを送信することが可能となる。
【００４２】
次に、図２のステップＳ５０４において、帯域管理装置１０３から帯域予約応答メッセージが返信される。
【００４３】
図６は図１の無線通信システムにおいて伝送される帯域予約応答メッセージのフォーマットの一例を示す図である。図６において、帯域予約応答メッセージは、タイプフィールド９０１と、要求ＩＤフィールド９０２と、ストリームＩＤフィールド９０３と、結果コード９０４とを含み構成される。タイプフィールド９０１はメッセージが帯域予約応答メッセージであることを示す値がセットされるフィールドであり、要求ＩＤフィールド９０２は対応する帯域予約要求メッセージと同じ値がセットされるフィールドであり、ストリームＩＤフィールド９０３はストリームを識別するためにメッセージ毎に異なる値がセットされるフィールドであり、結果コードフィールド９０４は帯域予約が成功したか否かを示す値がセットされるフィールドである。以下、帯域予約が成功した場合について説明する。帯域予約が失敗した場合には、当該制御処理を終了する。
【００４４】
帯域予約が成功した場合、図２のステップＳ５０５において、送信開始要求メッセージをソース機器１０１に送信する。
【００４５】
図７は図１の無線通信システムにおいて伝送される送信開始要求メッセージのフォーマットの一例を示す図である。図７において、送信開始要求メッセージは、タイプフィールド１００１と、送信元アドレスフィールド１００２と、宛先アドレスフィールド１００３と、要求ＩＤフィールド１００４と、ストリームＩＤフィールド１００５と、予約情報１００６とを含み構成される。タイプフィールド１００１はメッセージが送信開始要求メッセージであることを示す値がセットされるフィールドであり、送信元アドレスフィールド１００２は送信を開始するデータの送信元となる無線伝送装置のアドレスがセットされるフィールドであり、宛先アドレスフィールド１００３は送信を開始するデータの宛先となる無線伝送装置のアドレスがセットされるフィールドであり、要求ＩＤフィールド１００４は複数の帯域予約要求メッセージを識別するための値がセットされるフィールドであり、ストリームＩＤフィールド１００５はストリームを識別するためにメッセージ毎に異なる値がセットされるフィールドであり、予約情報フィールド１００６は予約された時間に関する予約情報がセットされるフィールドである。
【００４６】
ここでは、送信元アドレスフィールド１００２にはソース機器１０１のアドレスをセットし、宛先アドレスフィールド１００３には自身のアドレスをセットする。予約情報フィールド１００６には、帯域予約要求メッセージを送信することによって帯域管理装置１０３から割り当てられた時間の中から全てもしくは一部を使用する予約情報がセットされる。ストリームＩＤフィールド１００５には、受信した帯域予約応答メッセージのストリームＩＤフィールド９０３にセットされていた値をセットする、もしくはシンク機器１００が自身が生成した値をセットする。
【００４７】
次に、図２のステップＳ５０６において、ソース機器１０１から送信開始応答メッセージが返信される。
【００４８】
図８は図１の無線通信システムにおいて伝送される送信開始応答メッセージのフォーマットの一例を示す図である。図８において、送信開始応答メッセージは、タイプフィールド１１０１と、要求ＩＤフィールド１１０２と、ストリームフィールド１１０３と、結果コードフィールド１１０４とを含み構成される。タイプフィールド１１０１はメッセージが送信開始応答メッセージであることを示す値がセットされるフィールドであり、要求ＩＤフィールド１１０２は複数の送信開始要求メッセージと同じ値がセットされるフィールドであり、ストリームＩＤフィールド１１０３はストリームを識別するためにメッセージ毎に異なる値がセットされるフィールドであり、結果コードフィールド１１０４は送信開始処理が成功したか否かを示す値がセットされるフィールドである。以下、送信開始処理が成功した場合について説明する。送信開始処理が失敗した場合には、処理を終了する。
【００４９】
送信開始処理が成功した場合、図２のステップＳ５０７において、ソース機器１０１から映像及び音声データが送信される。
【００５０】
図３は図１の無線通信システムにおける各機器及び装置１００−１０３間の処理及び通信手順の第２の処理を示すシーケンス図である。この第２の処理は、シンク機器１００において、ソース機器１０１から無線伝送された映像及び音声データを視聴中に、コントローラ３１によりソース機器１０２から無線伝送される映像及び音声データに切り替えを行う処理である。
【００５１】
シンク機器１００においては、図３のステップＳ６０１において、ソース機器１０１から無線伝送された映像及び音声データを視聴中に、ステップＳ６０２において、キーボード３１ａを用いて入力されたユーザの指示により、ソース機器１０２への入力切替が開始され、ソース機器１０２との通信処理が開始される。その後、ステップＳ６０３において、シンク機器１００はソース機器１０１に送信停止要求メッセージを送信する。
【００５２】
図９は図１の無線通信システムにおいて伝送される送信停止要求メッセージのフォーマットの一例を示す図である。図９において、送信停止要求メッセージは、タイプフィールド１２０１と、送信元アドレスフィールド１２０２と、宛先アドレスフィールド１２０３と、ストリームＩＤフィールド１２０４とを含み構成される。タイプフィールド１２０１はメッセージが送信停止要求メッセージであることを示す値がセットされるフィールドであり、送信元アドレスフィールド１２０２は送信を停止するデータの送信元となる無線伝送装置のアドレスがセットされるフィールドであり、宛先アドレスフィールド１２０３は送信を停止するデータの宛先となる無線伝送装置のアドレスがセットされるフィールドであり、ストリームＩＤフィールド１２０４は停止するストリームに対応する値がセットされるフィールドである。
【００５３】
ここでは、送信元アドレスフィールド１２０２にはソース機器１０１のアドレスをセットし、宛先アドレスフィールド１２０３には自身のアドレスをセットする。ストリームＩＤフィールド１２０４には、送信開始要求メッセージのストリームＩＤフィールド１００５に含まれていた値をセットする。
【００５４】
次に、図３のステップＳ６０４において、ソース機器１０１から送信停止応答メッセージが返信される。
【００５５】
図１０は図１の無線通信システムにおいて伝送される送信停止応答メッセージのフォーマットの一例を示す図である。図１０において、送信停止応答メッセージは、タイプフィールド１３０１と、ストリームＩＤフィールド１３０２と、結果コードフィールド１３０３とを含み構成される。タイプフィールド１３０１はメッセージが送信停止応答メッセージであることを示す値がセットされるフィールドであり、ストリームＩＤフィールド１３０２は対応する送信停止要求メッセージと同じ値がセットされるフィールドであり、結果コードフィールド１３０３は送信停止処理が成功したか否かを示す値がセットされるフィールドである。
【００５６】
以下に、送信停止応答メッセージの結果コードフィールド１３０３に送信停止処理が成功したことを示す値がセットされている場合について説明する。送信停止応答メッセージの結果コードフィールド１３０３に送信停止処理が失敗したことを示す値がセットされている場合は以下の処理は行わない。
【００５７】
次に、図３のステップＳ６０５において、ソース機器１０２に送信開始要求メッセージを送信する。ここでは、送信元アドレスフィールド９０２にはソース機器１０２のアドレスをセットし、宛先アドレスフィールド９０３には自身のアドレスをセットする。
【００５８】
次に、図３のステップＳ６０６において、ソース機器１０２から送信開始応答メッセージが返信される。
【００５９】
送信開始応答メッセージの結果コードフィールド１１０４に送信開始処理の成功を示す値がセットされている場合、ステップＳ６０７において、ソース機器１０２から映像及び音声データが送信される。
【００６０】
図４は図１の無線通信システムにおける各機器及び装置１００−１０３間の処理及び通信手順の第３の処理を示すシーケンス図である。この第３の処理は、シンク機器１００において、ソース機器１０２から無線伝送されている映像及び音声データを視聴中に、コントローラ３１により内蔵する映像音声再生装置３８により再生される映像及び音声データに入力切替を行う場合の処理である。
【００６１】
シンク機器１００において、図４のステップＳ７０１において、ソース機器１０１から無線伝送されている映像及び音声データを視聴中に、ステップＳ７０２において、キーボード３１ａを用いて入力されたユーザ指示に基づいて、内蔵する映像音声再生装置３８により再生された映像及び音声データへの入力切替が開始され、切替スイッチ３７が接点ｂ側に切り替えられる。その後、図４のステップＳ７０３において、シンク機器１００はソース機器１０２に送信停止要求メッセージを送信する。
【００６２】
次に、図４のステップＳ７０４において、ソース機器１０２から送信停止応答メッセージが返信される。送信停止応答メッセージの結果コードフィールド１３０３に送信停止処理の成功を示す値がセットされている場合、図４のステップＳ７０５において、シンク機器１００は帯域管理装置１０３に帯域解放要求メッセージを送信する。帯域解放要求メッセージのフォーマットは図５に示す帯域予約要求メッセージのフォーマットと同様である。このとき、ストリームＩＤフィールド２０５には、帯域予約応答メッセージのストリームＩＤフィールド９０３にセットされていた値をセットする。また、予約情報フィールド８０６には帯域解放に対応する値をセットする。例えば、予約する時間の幅を０にセットする。
【００６３】
次に、図４のステップＳ７０６において、帯域管理装置１０３から帯域解放応答メッセージが返信される。帯域解放応答メッセージのフォーマットは図６に示す帯域予約応答メッセージのフォーマットと同様である。結果コードフィールド９０４には、帯域解放処理が成功したか否かを示す値がセットされる。
【００６４】
図１１は図１の無線通信システムのシンク機器１００のコントローラ３１によって実行される制御処理を示すフローチャートである。
【００６５】
図１１において、まず、ステップＳ１４０１において、キーボード３１ａを用いたユーザからの入力切替指示を検出する。ステップＳ１４０２において、入力切替指示を検出した際に視聴している切替元が内蔵する映像音声再生装置３８であるか否かを確認する。切替元が内蔵する映像音声再生装置３８である場合は、ステップＳ１４０３に移行する。一方、ステップＳ１４０２において切替元が内蔵する映像音声再生装置３８でない場合（すなわち、他の無線伝送装置（ソース機器１０１又は１０２である場合；ステップＳ１４０２でＮＯ）は、ステップＳ１４０５に移行する。
【００６６】
ステップＳ１４０３においては、切替先が内蔵する映像音声再生装置３８であるか否かを確認する。切替先が内蔵する映像音声再生装置３８である場合は処理を終了する。一方、切替先が内蔵する映像音声再生装置２８でない場合は（ステップＳ１４０３でＮＯ）ステップＳ１４０４に移行し、無線回線の帯域予約処理を実行し、切替スイッチ３７を接点ａ側に切り替え、当該制御処理を終了する。
【００６７】
ステップＳ１４０５においては、切替先が内蔵する映像音声再生装置３８であるか否かを確認する。切替先が内蔵する映像音声再生装置３８である場合は（ステップＳ１４０５でＹＥＳ）ステップＳ１４０６に移行し、帯域解放処理を実行し、切替スイッチ３７を内蔵する映像音声再生装置３８側である接点ｂ側に切り替え、当該制御処理を終了する。一方、切替先が内蔵する映像音声再生装置３８でない場合は（ステップＳ１４０５でＮＯステップＳ１４０７に移行し、送信機器切替処理（ソース機器１０１からソース機器１０２への切り替え又はその逆の切り替え）を実行し、当該制御処理を終了する。
【００６８】
ステップＳ１４０４の帯域予約処理においては、帯域管理装置１０３に帯域予約要求メッセージを送信した後、切替先のソース機器１０１又は１０２に送信開始要求メッセージを送信する。
【００６９】
ステップＳ１４０６の帯域解放処理においては、切替元のソース機器１０１又は１０２に送信停止要求メッセージを送信した後、帯域管理装置１０３に帯域解放要求メッセージを送信する。
【００７０】
ステップＳ１４０７の送信機器切替処理においては、切替元のソース機器１０１又は１０２に送信停止要求メッセージを送信した後、切替先のソース機器１０２又は１０１に送信開始要求メッセージを送信する。
【００７１】
以上の実施形態においては、無線回線を使用しているが、本発明はこれに限らず、有線回線を使用してもよい。
【００７２】
以上の実施形態においては、パケットフォーマットにおいて物理ヘッダ及びＭＡＣヘッダは省略しているが、本発明はこれに限らず、一般的なものが用いられる。
【００７３】
以上の実施形態においては、パケットフォーマット及びテーブルフォーマットは一例であり、同様の効果を示すものであれば、異なるフォーマットを用いることができる。
【００７４】
以上の実施形態において、無線通信システムの構成及び装置構成は一例であり、本発明は本実施形態に限定されない。
【００７５】
以上の実施形態においては、帯域管理装置１０３が存在するとして説明したが、帯域管理装置１０３の機能である帯域管理部４４を、シンク機器１００のコントローラ３１、ソース機器１０１のコントローラ１１、又はソース機器１０２のコントローラ１０２に具備することもできる。その際、各メッセージの送信元と宛先が同一の機器の場合は、装置内での処理となり、外部へのメッセージ伝送は行われない。
【００７６】
第２の実施形態．
図１２は本発明の第２の実施形態に係る無線通信システムのシンク機器１００のコントローラ３１によって実行される制御処理を示すフローチャートである。本実施形態における無線通信システム及び装置の構成は図１と同様である。第２の実施形態は、第１の実施形態と比較して、帯域予約処理及び帯域解放処理を行うタイミングが異なることを特徴としている。
【００７７】
図１２はシンク機器１００のコントローラ３１によって実行される電源操作時の制御処理を示すフローチャートである。
【００７８】
図１２のステップＳ１５０１において、まず、電源操作が例えばキーボード３１ａを用いてユーザによって行われたことを検出する。ステップＳ１５０２において、電源操作が電源オンであるか否かを確認し、電源オンである場合はステップＳ１５０３に移行し、そうでない場合はステップＳ１５０５に移行する。ステップＳ１５０３においては、所定の空き時間があるか否かを確認し、所定の空き時間がある場合はステップＳ１５０４に移行し、所定の空き時間がない場合は処理を終了する。ステップＳ１５０４においては、帯域予約処理を行い、その後、当該制御処理を終了する。
【００７９】
一方、ステップＳ１５０５においては、電源操作がスタンバイ操作であるか否かを確認し、スタンバイ操作である場合はステップＳ１５０６に移行し、そうでない場合は当該制御処理を終了する。ステップＳ１５０６においては、帯域解放処理を行い、その後、当該制御処理を終了する。
【００８０】
以上の実施形態においては、ステップＳ１５０３において、所定の空き時間がない場合に、その時点で時間を予約している無線伝送装置であるソース機器１０１又は１０２に対して予約を解除するように指示を出すことも可能である。その後は、ステップＳ１５０４と同様に帯域予約処理を行う。
【００８１】
以上の実施形態において用いたパケットフォーマットにおいて、物理ヘッダ及びＭＡＣヘッダは省略しているが、一般的なものが用いられる。
【００８２】
以上の実施形態において、パケットフォーマット及びテーブルフォーマットは一例であり、同様の効果を示すものであれば、異なるフォーマットを用いることができる。
【００８３】
以上の実施形態において、無線通信システムの構成及び装置構成は一例であり、本発明は本実施形態に限定されない。
【００８４】
以上の実施形態において、入力装置としてキーボード１１ａ，２１ａ，３１ａを用いているが、本発明はこれに限らず、リモートコントローラを用いてもよい。
【産業上の利用可能性】
【００８５】
以上詳述したように、本発明に係る無線通信システム、無線伝送装置及びその帯域管理方法によれば、無線伝送装置間における映像及び音声データの伝送を行う際の入力切替を行うための時間を短縮することが可能となり、ユーザの利便性の向上を図ることができる。特に、装置間で映像及び音声伝送を行う無線伝送装置等として有用である。
【図面の簡単な説明】
【００８６】
【図１】本発明の第１の実施形態に係る、ソース機器１０１，１０２とシンク機器１００と帯域管理装置１０３とを備えた無線通信システムの構成を示すブロック図である。
【図２】図１の無線通信システムにおける各機器及び装置１００−１０３間の処理及び通信手順の第１の処理を示すシーケンス図である。
【図３】図１の無線通信システムにおける各機器及び装置１００−１０３間の処理及び通信手順の第２の処理を示すシーケンス図である。
【図４】図１の無線通信システムにおける各機器及び装置１００−１０３間の処理及び通信手順の第３の処理を示すシーケンス図である。
【図５】図１の無線通信システムにおいて伝送される帯域予約要求メッセージのフォーマットの一例を示す図である。
【図６】図１の無線通信システムにおいて伝送される帯域予約応答メッセージのフォーマットの一例を示す図である。
【図７】図１の無線通信システムにおいて伝送される送信開始要求メッセージのフォーマットの一例を示す図である。
【図８】図１の無線通信システムにおいて伝送される送信開始応答メッセージのフォーマットの一例を示す図である。
【図９】図１の無線通信システムにおいて伝送される送信停止要求メッセージのフォーマットの一例を示す図である。
【図１０】図１の無線通信システムにおいて伝送される送信停止応答メッセージのフォーマットの一例を示す図である。
【図１１】図１の無線通信システムのシンク機器１００のコントローラ３１によって実行される制御処理を示すフローチャートである。
【図１２】本発明の第２の実施形態に係る無線通信システムのシンク機器１００のコントローラ３１によって実行される制御処理を示すフローチャートである。
【符号の説明】
【００８７】
１１，２１，３１，４１…コントローラ、
１１ａ，２１ａ，３１ａ…キーボード、
１２，２２，３８…映像音声再生装置、
１３，２３，３４…パケット処理回路、
１４，２４，３３，４３…無線送受信回路、
１５，２５，３２，４２…アンテナ、
３５，３９…映像音声処理回路、
３６…スピーカ付きディスプレイ、
４４…帯域管理部、
１００…シンク機器、
１０１，１０２…ソース機器、
１０３…帯域管理装置、
８０１，９０１，１００１，１１０１，１２０１，１３０１…タイプフィールド、
８０２，１００２，１２０２…送信元アドレスフィールド、
８０３，１００３，１２０３…宛先アドレスフィールド、
８０４，９０２，１００４，１１０２…要求ＩＤフィールド、
８０５，９０３，１００５，１１０３，１２０４，１３０２…ストリームＩＤフィールド、
８０６，１００６…予約情報フィールド、
９０４，１１０４、１３０３…結果コードフィールド。
【図１】
2008271008.tif 000003
【図２】
2008271008.tif 000004
【図３】
2008271008.tif 000005
【図４】
2008271008.tif 000006
【図５】
2008271008.tif 000007
【図６】
2008271008.tif 000008
【図７】
2008271008.tif 000009
【図８】
2008271008.tif 000010
【図９】
2008271008.tif 000011
【図１０】
2008271008.tif 000012
【図１１】
2008271008.tif 000013
【図１２】
2008271008.tif 000014